【事件の表示】
　特願２００８−１７４６８６「磁気共鳴イメージング装置」拒絶査定不服審判事件〔平成２２年　１月２１日出願公開、特開２０１０−　１２０２７〕について、次のとおり審決する。
【結　論】
　本件審判の請求は、成り立たない。
【理　由】
第１　手続の経緯
　本願は、平成２０年７月３日の出願であって、平成２５年４月１１日付けで拒絶理由が通知され、同年６月２４日付けで意見書が提出されるとともに手続補正がなされたが、同年１０月１１日付けで拒絶査定がなされたのに対し、平成２６年１月２２日に拒絶査定不服審判が請求され、それと同時に手続補正がなされたものである。
　
第２　平成２６年１月２２日付けの手続補正についての補正却下の決定
［補正却下の決定の結論］
　平成２６年１月２２日付けの手続補正（以下、「本件補正」という。）を却下する。
　
［理由］　
１　本件補正の内容
　本件補正により補正された特許請求の範囲の請求項１の記載は次のとおりである（下線は補正箇所を示す。）。
　
「検査における作業手順を定義したワークフローにしたがって被検体の画像を撮像する磁気共鳴イメージング装置であって、
　前記ワークフローに
したがって段階的に進められる複数の作業それぞれを行うための複数の操作画面のうち、
　前記第１の操作画面上に設定されている被検体情報表示領域に対する操作が前記操作受付手段によって受け付けられた場合に、
前記複数の操作画面それぞれに各操作画面に応じて対応付けられた操作メニューのうち、
第１の作業とは異なる段階で行われる
　を備えたことを特徴とする磁気共鳴イメージング装置。」
　
２　本件補正の目的
　本件補正は、補正前の請求項１における「第１の作業で用いられる第１の操作画面」について、「前記ワークフローに含まれる」ものから、「前記ワークフローにしたがって段階的に進められる複数の作業それぞれを行うための複数の操作画面のうち」のものに変更して下位概念化し、補正前の請求項１における「当該第１の操作画面により実行される機能を操作者に選択させる操作メニュー」について、「前記複数の操作画面それぞれに各操作画面に応じて対応付けられた操作メニューのうち」のものであることを追加して限定し、また、補正前の請求項１における「第２の作業」について、「第１の作業とは異なる段階で行われる」ものであることを追加して限定する補正を含むものである。
　したがって、本件補正は、補正前の請求項１に記載された発明を特定するために必要な事項を限定するものであるから、特許法第１７条の２第５項第２号の特許請求の範囲の減縮を目的するものに該当するものといえる。
　
３　独立特許要件
　そこで、本件補正後の請求項１に係る発明（以下、「補正発明」という。）が、特許法第１７条の２第６項において準用する同法第１２６条第７項の規定に適合するか、すなわち、本件の特許出願の際に独立して特許を受けることができるものであるかについて以下に検討する。
　
（１）刊行物の記載事項
　本願出願前に頒布され、原査定の拒絶の理由に引用された特開２００３−２６５４５５号公報（以下、「刊行物」という。）には、図面の図示と共に、次の事項が記載されている（下線は当審で付した。）。
　
ア　「【００３８】また、リーダー２の読み取り制御、患者情報や撮影部位情報、読み取り条件等の入力及び画像データの表示を行う
コンソール３は
受付リスト画面、検索画面、撮影部位選択画面、撮影ルーチン画面等の各種画面を作成する表示画面作成部１５と、
画面を表示する表示部１２と、患者情報や撮影部位情報、読み取り条件等を設定する操作部１３と
を備え
イ　「【００４０】この
表示部１２に表示される表示画面は
予め定めたワークフローに従って画面間の遷移ルートが設定され、各表示画面には許可された画面への遷移を可能とする遷移スイッチがワークフローのシーケンスを認識可能な名称で明示され、オペレータにワークフローを意識させて、入力漏れを未然に防止している
ウ　「【００４６】まず、ステップＳ１０１において、コンソール３の表示部１２、操作部１３により、患者情報の入力を行う。ここでは、デフォルト値として図６に示す検索画面１８が設定されている場合について説明する。
検索画面１８には、検索結果を表示する表示領域１８ａと、文字入力を行うキーボードが表示される入力領域１８ｂと、検索の実行を指示する検索ボタン１８ｃとに加え、
ワークフローを意識させて特定の画面への遷移を可能とする遷移スイッチ（受付けリスト画面１９への遷移を行う［受付リスト］遷移スイッチ１８ｄ及び撮影条件選択画面２０への遷移を行う［検査開始］遷移スイッチ１８ｅ）が設けられている
【００４７】そして、放射線技師等の
オペレータは
選択する
以下、
マウスでクリックする動作を「選択」と称する
【００４８】この患者情報は、受付けリスト画面１９から入手することもできる（ステップＳ１０２）。その場合、検索画面１８から受付けリスト画面１９への遷移を行うが、本実施例では遷移操作を明確にするために、検索画面１８には［受付けリスト］遷移スイッチ１８ｄが設けられており、ステップＳ１０３で［受付けリスト］遷移スイッチ１８ｄを選択すると、ステップＳ１０４で、図７に示すような受付けリスト画面１９が表示される。
【００４９】この
受付リスト画面１９には、患者ＩＤ、患者氏名
等の情報が一覧表示される表示領域１９ａと、選択した患者情報を削除する削除ボタン１９ｂと、外部情報システム２５やデータベース２６に問い合わせてリストの更新を実行するリスト更新ボタン１９ｃと
ワークフローを意識させて特定の画面への遷移を可能とする遷移スイッチ（検索画面１８に戻る［ＯＫ］、［キャンセル］遷移スイッチ１９ｄ）とが設けられている
【００５０】そして、ステップＳ１０５で
一覧表示の中から撮影を行う所定の患者の選択が終了したら
受付リスト画面１９の［ＯＫ］遷移スイッチ１９ｄを選択すると、受付けリスト画面１９から自動的に検索画面１８
に戻る
【００５１】そして、
オペレータは患者情報の入力を確認した後
検索画面１８に設けた［検査開始］遷移スイッチ１８ｄを選択して撮影ルーチンモードに遷移する
　
エ　「【００５４】次に、ステップＳ１１３において、公知の方法により、Ｘ線撮影装置等の放射線画像撮影装置を用いて選択した患者を撮影し、患者のＸ線透過画像をカセッテ１７内部の放射線画像変換プレートに潜像として記録する。なお、放射線画像撮影装置としてはＸ線撮影装置に限らず、
磁気
を用いて患者を撮影する装置
　上記の記載事項ア〜エから、刊行物には、以下の発明が記載されていると認められる。
　
「コンソール３は、受付リスト画面１９、検索画面１８、撮影部位選択画面、撮影ルーチン画面等の各種画面を作成する表示画面作成部１５と、画面を表示する表示部１２と、患者情報や撮影部位情報、読み取り条件等を設定する操作部１３と、を備え、
　表示部１２に表示される表示画面が、予め定めたワークフローに従って画面間の遷移ルートが設定され、各表示画面には許可された画面への遷移を可能とする遷移スイッチがワークフローのシーケンスを認識可能な名称で明示され、オペレータにワークフローを意識させて、入力漏れを未然に防止している、磁気を用いて患者を撮影する装置であって、
　受付リスト画面１９には、患者ＩＤ、患者氏名等の情報が一覧表示される表示領域１９ａと、選択した患者情報を削除する削除ボタン１９ｂと、外部情報システム２５やデータベース２６に問い合わせてリストの更新を実行するリスト更新ボタン１９ｃと、ワークフローを意識させて特定の画面への遷移を可能とする遷移スイッチ（検索画面１８に戻る［ＯＫ］、［キャンセル］遷移スイッチ１９ｄ）とが設けられ、
　一覧表示される表示領域１９ａの中から撮影を行う所定の患者のマウスのクリックによる選択が終了したら、受付リスト画面１９の［ＯＫ］遷移スイッチ１９ｄをマウスでクリックして選択すると、受付けリスト画面１９から自動的に検索画面１８に戻るものであり、
　検索画面１８には、検索結果を表示する表示領域１８ａと、文字入力を行うキーボードが表示される入力領域１８ｂと、検索の実行を指示する検索ボタン１８ｃとに加え、ワークフローを意識させて特定の画面への遷移を可能とする遷移スイッチ（受付けリスト画面１９への遷移を行う［受付リスト］遷移スイッチ１８ｄ及び撮影条件選択画面２０への遷移を行う［検査開始］遷移スイッチ１８ｅ）が設けられ、
　オペレータが患者情報の入力を確認した後、検索画面１８に設けた［検査開始］遷移スイッチ１８ｄをマウスでクリックして選択して撮影ルーチンモードに遷移する、装置」（以下「引用発明」という。）
　
（２）補正発明と引用発明との対比
ア　引用発明の「患者」、「磁気を用いて撮影する装置」、「表示画面」、「受付けリスト画面１９」、「遷移スイッチ」、「オペレータ」及び「検索画面１８」は、それぞれ、補正発明の「被検体」、「磁気共鳴イメージング装置」、「操作画面」、「第１の操作画面」、「操作メニュー」、「操作者」及び「第２の操作画面」に相当する。
　
イ　引用発明の「オペレータに」「予め定めた」「ワークフローを意識させ」て「磁気を用いて患者を撮影する装置」は、「ワークフロー」が検査における作業手順を定義して、それにしたがって撮影が行われることは明らかであるから、補正発明の「検査における作業手順を定義したワークフローにしたがって被検体の画像を撮像する磁気共鳴イメージング装置」に相当する。
　
ウ　引用発明の「予め定めたワークフローに従って画面間の遷移ルートが設定され」た「各表示画面」は、段階的に進められる複数の作業それぞれを行うためのものであるといえるから、補正発明の「前記ワークフローにしたがって段階的に進められる複数の作業それぞれを行うための複数の操作画面」に相当する。
　そして、引用発明の「一覧表示される表示領域１９ａの中から撮影を行う所定の患者のマウスのクリックによる選択」を行い、「［ＯＫ］遷移スイッチ１９ｄをマウスでクリックして選択すると、受付けリスト画面１９から自動的に検索画面１８に戻る」作業で用いられる「受付リスト画面１９」は、補正発明の「第１の作業で用いられる第１の操作画面」に相当する。
　また、引用発明の「一覧表示される表示領域１９ａの中から撮影を行う所定の患者のマウスのクリックによる選択」を行う手段は、ポインタの位置に基づいて操作を受け付けるものといえるから、補正発明の「ポインタの位置に基づいて、当該第１の操作画面に対する操作を受け付ける操作受付手段」に相当する。
　したがって、引用発明の「予め定めたワークフローに従って画面間の遷移ルートが設定され」た「各表示画面」のうち、「受付リスト画面１９」の「一覧表示される表示領域１９ａの中から撮影を行う所定の患者のマウスのクリックによる選択」を行う手段は、補正発明の「前記ワークフローにしたがって段階的に進められる複数の作業それぞれを行うための複数の操作画面のうち、第１の作業で用いられる第１の操作画面上で移動されるポインタの位置に基づいて、当該第１の操作画面に対する操作を受け付ける操作受付手段」に相当する。
エ　引用発明の「各表示画面」に「明示され」た「許可された画面への遷移を可能とするスイッチ」のうちの「マウスでクリックして選択」される「受付リスト画面１９の［ＯＫ］遷移スイッチ１９ｄ」は、オペレータが選択することは明らかであるから、補正発明の「前記複数の操作画面それぞれに各操作画面に応じて対応付けられた操作メニューのうち、当該第１の操作画面により実行される機能を操作者に選択させる操作メニュー」に相当する。
　また、引用発明の「検索画面１８」における「患者情報の入力を確認した後、」「［検査開始］遷移スイッチ１８ｄをマウスでクリックして選択して撮影ルーチンモードに遷移する」作業は、「受付リスト画面１９」における「一覧表示される表示領域１９ａの中から撮影を行う所定の患者のマウスのクリックによる選択が終了したら、受付リスト画面１９の［ＯＫ］遷移スイッチ１９ｄをマウスでクリックして選択すると、受付けリスト画面１９から自動的に検索画面１８に戻る」作業とは異なる段階で行われるものといえる。したがって、引用発明の「ワークフロー」に含まれる「受付リスト画面１９」における作業とは異なる段階で行われる作業で用いられる「検索画面１８」は、補正発明の「前記ワークフローに含まれる第１の作業とは異なる段階で行われる第２の作業で用いられる第２の操作画面」に相当する。
　また、引用発明の「一覧表示される表示領域１９ａの中から撮影を行う所定の患者のマウスのクリックによる選択が終了したら」、「マウスでクリックして選択」されると「受付けリスト画面１９から自動的に検索画面１８に戻る」「受付リスト画面１９の［ＯＫ］遷移スイッチ１９ｄ」は、補正発明の「前記ワークフローに含まれる第１の作業とは異なる段階で行われる第２の作業で用いられる第２の操作画面に表示を切り替えるため」の「操作メニュー」に相当する。
　さらに、引用発明は「コンソール３」は「受付リスト画面１９、検索画面１８、撮影部位選択画面、撮影ルーチン画面等の各種画面を作成する表示画面作成部１５と、」「画面を表示する表示部１２と」を備えているところ、「受付リスト画面１９」に「［ＯＫ］遷移スイッチ１９ｄ」を表示させる画面表示制御手段を備えることは自明であり、補正発明の「操作メニューを」「表示させる画面表示制御手段」に相当するものを有することは明らかである。
　よって、引用発明の「受付リスト画面１９」に「設けられ」ている「患者ＩＤ、患者氏名等の情報が」「一覧表示される表示領域１９ａの中から撮影を行う所定の患者のマウスのクリックによる選択が終了したら」、「各々の画面に」「表示」された「許可された画面への遷移を可能とするスイッチ」のうち、「受付リスト画面１９の［ＯＫ］遷移スイッチ１９ｄ」であって、「ワークフロー」に含まれる「受付リスト画面１９」における作業とは異なる段階で行われる作業で用いられる「検索画面１８に戻る」「受付リスト画面１９の［ＯＫ］遷移スイッチ１９ｄ」を表示させる「コンソール３」と、補正発明の「前記第１の操作画面上に設定されている被検体情報表示領域に対する操作が前記操作受付手段によって受け付けられた場合に、前記複数の操作画面それぞれに各操作画面に応じて対応付けられた操作メニューのうち、当該第１の操作画面により実行される機能を操作者に選択させる操作メニューであって、前記ワークフローに含まれる第１の作業とは異なる段階で行われる第２の作業で用いられる第２の操作画面に表示を切り替えるためのショートカットメニューが含まれた操作メニューを前記ポインタの付近に表示させる画面表示制御手段」とは、「前記第１の操作画面上に設定されている被検体情報表示領域に対する操作が前記操作受付手段によって受け付けられ、前記複数の操作画面それぞれに各操作画面に応じて対応付けられた操作メニューのうち、当該第１の操作画面により実行される機能を操作者に選択させる操作メニューであって、前記ワークフローに含まれる第１の作業とは異なる段階で行われる第２の作業で用いられる第２の操作画面に表示を切り替えるための操作メニューを表示させる画面表示制御手段」の点で共通する。
　
　そうすると、両者は
「検査における作業手順を定義したワークフローにしたがって被検体の画像を撮像する磁気共鳴イメージング装置であって、
　前記ワークフローにしたがって段階的に進められる複数の作業それぞれを行うための複数の操作画面のうち、第１の作業で用いられる第１の操作画面上で移動されるポインタの位置に基づいて、当該第１の操作画面に対する操作を受け付ける操作受付手段と、
　前記第１の操作画面上に設定されている被検体情報表示領域に対する操作が前記操作受付手段によって受け付けられ、前記複数の操作画面それぞれに各操作画面に応じて対応付けられた操作メニューのうち、当該第１の操作画面により実行される機能を操作者に選択させる操作メニューであって、前記ワークフローに含まれる第１の作業とは異なる段階で行われる第２の作業で用いられる第２の操作画面に表示を切り替えるための操作メニューを表示させる画面表示制御手段と、
　を備えた磁気共鳴イメージング装置。」
の点で一致し、以下の点で相違する。
　
（相違点）
　操作メニューが、補正発明では「ショートカットメニューが含まれた」ものであって、「表示領域に対する操作が前記操作受付手段によって受け付けられた場合に」、「前記ポインタの付近に」表示させられるものであるのに対し、引用発明ではそのようなものではない点。
　
（３）相違点についての検討・判断
　補正発明の「ショートカットメニュー」とは、本願発明の詳細な説明の段落【００６６】乃至【００６８】によれば、「プルダウンメニューに含まれる」「他の操作画面に表示を切り替える」「操作メニュー」と解される。
　そして、マウスポインティングデバイスを用いるグラフィカルユーザインタフェース（ＧＵＩ）において、表示領域に対する操作が操作受付手段によって受け付けられた場合に、ポインタの付近にプルダウンメニューに含まれる他の操作画面に表示を切り替えるショートカットメニューが含まれた操作メニューを表示することは、例えば、原査定の拒絶の理由に引用された「Ｅｄ　Ｂｏｔｔ，ｅｔ　ａｌ．，Ｍｉｃｒｏｓｏｆｔ　Ｗｉｎｄｏｗｓ　Ｖｉｓｔａ　オフィシャルマニュアル　上　初版　Ｍｉｃｒｏｓｏｆｔ　Ｗｉｎｄｏｗｓ　ＶｉｓｔａＴＭ　ＩＮＳＩＤＥ　ＯＵＴ，日経ＢＰソフトプレス　瀬川　弘司，２００７年９月３日，第１版，Ｐ．１３４」（図３−３３には、ファイルを右クリックすることにより表示される［プレビュー］、［編集］、…［プログラムから開く］、…等のプルダウンメニューがみてとれる。そして、これらが、ポインタ付近に表示されること、及び、［プレビュー］、［編集］、…［プログラムから開く］、…等に相当する操作画面に表示を切り替えるショートカットメニューであることは技術常識である。）に開示されているように、周知技術である。
　そこで、引用発明の「一覧表示される表示領域１９ａの中から撮影を行う所定の患者のマウスのクリックによる選択が終了したら、受付リスト画面１９の［ＯＫ］遷移スイッチ１９ｄをマウスでクリックして選択すると、受付けリスト画面１９から自動的に検索画面１８に戻る」作業において、操作性を向上させるために、この周知技術を適用することに格別の困難性はなく、その適用により、一覧表示される表示領域１９ａの中から撮影を行う所定の患者のマウスの右クリックによる選択が終了したら、［ＯＫ］遷移スイッチ１９ｄの機能を有するショートカットメニューが含まれた操作メニューをポインタの付近に表示するようにして、相違点に係る補正発明の如く構成することは当業者が容易になし得たというべきである。
　さらに、補正発明の効果も、当業者であれば引用発明及び周知技術から予測し得る範囲内のものであり、格別顕著なものとはいえない。
　
（４）小括
　以上のとおり、補正発明は、引用発明及び周知技術に基づいて当業者が容易に発明をすることができたものであるから、特許法第２９条第２項の規定により、特許出願の際独立して特許を受けることができないものである。
　
４　まとめ
　したがって、本件補正は、特許法第１７条の２第６項において準用する同法第１２６条第７項の規定に違反するので、同法第１５９条第１項において読み替えて準用する同法第５３条第１項の規定により却下すべきものである。
　
第３　本願発明に対する判断
１　本願発明の認定
　平成２６年１月２２日付けの手続補正は、上記のとおり却下されることとなったので、本願の請求項１に係る発明は、平成２５年６月２４日付けの手続補正により補正された特許請求の範囲の請求項１に記載された事項により特定されるものであると認められ、その請求項１に係る発明（以下、「本願発明」という。）は、次のとおりのものである。
　
「検査における作業手順を定義したワークフローにしたがって被検体の画像を撮像する磁気共鳴イメージング装置であって、
　前記ワークフローに含まれる第１の作業で用いられる第１の操作画面上で移動されるポインタの位置に基づいて、当該第１の操作画面に対する操作を受け付ける操作受付手段と、
　前記第１の操作画面上に設定されている被検体情報表示領域に対する操作が前記操作受付手段によって受け付けられた場合に、当該第１の操作画面により実行される機能を操作者に選択させる操作メニューであって、前記ワークフローに含まれる第２の作業で用いられる第２の操作画面に表示を切り替えるためのショートカットメニューが含まれた操作メニューを前記ポインタの付近に表示させる画面表示制御手段と、
　を備えたことを特徴とする磁気共鳴イメージング装置。」
　
２　刊行物
　原査定の拒絶理由で引用された刊行物、及び、その記載事項は、前記「第２」の「３」の「（１）」に記載したとおりである。
　
３　判断
　本願発明は、前記「第２」の「２」で検討した補正発明の「第１の作業で用いられる第１の操作画面」について、「前記ワークフローにしたがって段階的に進められる複数の作業それぞれを行うための複数の操作画面のうち」のものを「前記ワークフローに含まれる」ものとして上位概念化し、補正発明の「当該第１の操作画面により実行される機能を操作者に選択させる操作メニュー」について、「前記複数の操作画面それぞれに各操作画面に応じて対応付けられた操作メニューのうち」のものであることの限定を省き、補正発明の「第２の作業」について、「第１の作業とは異なる段階で行われる」ものであることの限定を省いたものである。
　そうすると、本願発明の特定事項を全て含み、さらに他の特定事項を下位概念化及び付加したものに相当する補正発明が、前記「第２」の「３」に記載したとおり、引用発明及び周知技術に基づいて、当業者が容易に発明をすることができたものであるから、本願発明も、同様の理由により、引用発明及び周知技術に基づいて当業者が容易に発明をすることができたものである。
　
第４　むすび
　以上のとおり、本願発明は、引用発明及び周知技術に基づいて、当業者が容易に発明をすることができたものであるから、特許法第２９条第２項の規定により特許を受けることができない。
　したがって、本願は、拒絶すべきものである。
　よって、結論のとおり審決する。